(57)【要約】【課題】設置や手入れを簡単に行うことができ、常に清潔で、使う人にとって気持ちの良い床置きヒータの提供。【解決手段】床の上に敷いて使用する床置きヒータ１０において、裏側の台部１２の上に断熱部１６を設け、断熱部１６の上に発熱部１８を設け、発熱部１８の上に表面板部２０を設け、燻煙処理した木材から形成した板材２２を表面板部２０に敷設する。【選択図】  図１
0003131277.tif 000002
【実用新案登録請求の範囲】
【請求項１】
床の上に敷いて使用する床置きヒータであって、
裏側の台部と、当該台部の上側に設けられた断熱部と、当該断熱部の上側に設けられた発熱部と、当該発熱体の上側に設けられた表面板部と、を備え、
加熱しながら煙により燻す処理を施した木材から形成した板材が前記表面板部に敷設されていることを特徴とする床置きヒータ。
【請求項２】
複数枚の前記板材が前記表面板部に敷設されており、
前記板材の側面に凹凸がそれぞれ形成されており、
隣接する前記板材の側面の前記凹凸同士が、互いに嵌合していることを特徴とする請求項１に記載の床置きヒータ。
【請求項３】
前記板材の表面には、木目が凸設されていることを特徴とする請求項１又は請求項２に記載の床置きヒータ。
【請求項４】
前記台部の下側に、緩衝材が装着されていることを特徴とする請求項１から請求項３のうちのいずれかの請求項に記載の床置きヒータ。
【請求項５】
前記発熱部が、導電性粒子を高分子に分散させたＰＴＣ発熱体を有していることを特徴とする請求項１から請求項４のうちのいずれかの請求項に記載の床置きヒータ。
【考案の詳細な説明】
【技術分野】
【０００１】
床の上に敷いて使用する床置きヒータに関する。
【背景技術】
【０００２】
近年、フローリングが一般住宅で使われるようになっている。フローリングを畳やカーペットと比較すると、フローリングの表面は光沢があって見た目が良い。また、フローリングの表面は平滑であるので清掃しやすい。さらに、フローリングは強度や耐摩耗性の点でも優れている。このため、住宅を新築する際のみならず、古い住居をリフォームする際にも、フローリングが広く使われている。とりわけ、台所におけるフローリングの普及率は非常に高い。
【０００３】
一般に、台所は日当たりの悪い場所に設けられることが多い。このため、冬場になるとフローリングを施した台所は非常に寒くなってしまう。また、換気扇によって台所の換気を行うと、住居内の他の場所の冷気が台所の床近辺に流れ込みやすく、台所が寒くなりやすい。家庭の主婦は台所で長時間働くことが多いので、彼女らにとって、台所での寒さ対策は非常に重要である。しかし、足元から伝わってくる寒さを防ぐことは、スリッパや厚手の靴下を履いたりしてもなかなか困難である。
【０００４】
そこで、フローリングした台所における防寒対策として、床下に床暖房設備を設置することが行われている（例えば、特許文献１参照）。
【特許文献１】特許３７５３５６６号公報
【考案の開示】
【考案が解決しようとする課題】
【０００５】
しかし、台所の床下に床暖房施設を設置する工事は、大掛かりなものになりやすく、工事費用も嵩みがちである。したがって、台所の床下に床暖房施設を設置する工事を安易に行うことはなかなかできない。
そこで、台所の床下に床暖房施設を設置する代わりに、カーペットを足元に敷き、冷気が足元に直接伝わることを防止することが考えられる。しかし、カーペットは繊維が密集しているので、繊維の隙間に塵等が溜まりやすい。このような塵等をきれいに除去することは、たとえ掃除機を使っても困難である。また、カーペットの繊維の間には、ダニ等の害虫が繁殖しやすい。
【０００６】
このため、頻繁にカーペットをクリーニングに出したり日光消毒したりしなければならない。このようなカーペットの手入れは、主婦にとって煩雑な作業である。
本考案は、上記問題を解決するものであり、その目的とするところは、設置や手入れを簡単に行うことができ、常に清潔で、使う人にとって気持ちの良い床置きヒータを提供することである。
【課題を解決するための手段】
【０００７】
本考案は、その課題を解決するために以下のような構成をとる。請求項１の考案に係る床置きヒータは、床の上に敷いて使用する床置きヒータであって、裏側の台部と、当該台部の上側に設けられた断熱部と、当該断熱部の上側に設けられた発熱部と、当該発熱体の上側の表に設けられた表面板部と、を備え、加熱しながら煙により燻す処理を施した木材から形成した板材が前記表面板部に敷設されている。
表面板部には板材が敷設されているので、板材の木目が見える。表面板部は見た目が美しく、強度や耐摩耗性に優れている。表面板部は、清掃しやすく、塵等が溜まりにくく、ダニ等の害虫も繁殖しにくい。
【０００８】
また、板材から生じる木の香りを楽しむことも可能である。
発熱部と台部との間に断熱部が存在しているので、発熱部からの熱が、台部を通って床へ逃げてしまうことが抑制されている。発熱部からの熱は表面板部の板材に効率よく伝わる。
木材を加熱しながら煙により燻すと、木材内部の応力が除去されるとともに、木材内部の乾燥がすすみ、木材に曲がりや割れが生じにくくなる。木材を加熱する温度範囲として、例えば、８０〜１４０℃の範囲を挙げることができる。
以下の説明において、「木材を加熱しながら煙により燻す処理」を「燻煙処理」ということとする。
【０００９】
表面板部に敷設されている板材は燻煙処理された木材から形成されているので、発熱部から板材に熱が伝わってきても、板材の寸法や形状に歪が生じたり割れたりすることが抑制されている。また、床置きヒータが台所の床等の湿気が高くなりがちな場所に敷かれたり、乾燥の厳しい場所に敷かれたりしても、表面板部の板材の寸法や形状に歪が生じたり割れたりすることを防止可能である。
表面板部の板材は燻煙処理を施されているので、腐朽菌の発生を防止可能であり、シロアリ等の害虫による損傷も防止可能である。
床置きヒータは、床の上に敷きさえすればそのまま使えるので、設置が簡単であり、床置きヒータを動かすことも簡単である。
【００１０】
請求項２の考案に係る床置きヒータは、請求項１に記載の床置きヒータであって、複数枚の前記板材が前記表面板部に敷設されており、前記板材の側面に凹凸が形成されており、隣接する前記板材の側面の前記凹凸同士が、互いに嵌合している。
隣接する板材の側面の凹凸同士が互いに嵌合しているので、隣接する板材同士の間から下にある発熱部が見えてしまうことを防止できる。
【００１１】
請求項３の考案に係る床置きヒータは、請求項１又は請求項２に記載の床置きヒータであって、前記板材の表面には、木目が凸設されている。
板材の表面には、複数本の木目が走っており、木目同士の間に挟まれて木質層が存在している。木目は木質層よりも硬い。木目が現れた板材の表面をワイヤーブラシ等で研削すると、木質層が容易に削り落とされる。そして、木目が削り落とされずに残り、板材の表面は、残った木目が浮き出て凸設された状態となる。
表面に木目が凸設されている板材の上に、人がのると、肌と板材との間に隙間ができて通気性が確保され、板材と接する肌が蒸れにくくなる。発熱部の発熱を止めておけば、夏場であっても、人は床置きヒータの上に気持ちよくのっていることができる。また、肌を木目が押圧するので、マッサージ効果も得られる。
【００１２】
請求項４の考案に係る床置きヒータは、請求項１から請求項３のうちのいずれかの請求項に記載の床置きヒータであって、前記台部の下側に、緩衝材が装着されている。
床置きヒータの台部の下側に緩衝材が装着されているので、床置きヒータを床の上に敷く際、床置きヒータの台部が床の表面に直接接触することを防止できる。したがって、床置きヒータの上で人が動いたりして、床置きヒータが床の上でずれ動いたとしても、床置きヒータの台部が床の表面を傷つけることを防止できる。
緩衝材として、例えば、織布、不織布、ゴム、樹脂等を使用することができる。緩衝材をゴムや樹脂等によって形成すれば、緩衝材と床の表面との間に働く静止摩擦力を大きくすることができ、床置きヒータが床の上でずれ動くことを防止できる。
【００１３】
請求項５の考案に係る床置きヒータは、請求項１から請求項４のうちのいずれかの請求項に記載の床置きヒータであって、前記発熱部が、導電性粒子を高分子に分散させたＰＴＣ発熱体を有している。
導電性粒子を高分子に分散させたＰＴＣ発熱体は、通電することによって発熱する。このＰＴＣ発熱体は膜状に形成可能である。フィルム等の基礎の上にＰＴＣ発熱体をプリントすれば、薄いシート状の発熱部を形成することができる。発熱部の厚さが薄くなれば、床置きヒータの厚さを薄くすることができる。床置きヒータの厚さが薄くなれば、床置きヒータと床との高さの差を小さくすることができ、人がつまずいたりすることを防止でき、また、床置きヒータの軽量化を図ることもできる。
なお、ＰＴＣ発熱体の「ＰＴＣ」とは、「Ｐｏｓｉｔｉｖｅ  Ｔｅｍｐｅｒａｔｕｒｅ  Ｃｏｅｆｆｉｃｉｅｎｔ」の略であり、正温度係数を意味する。
【考案の効果】
【００１４】
上記のような床置きヒータであるので、設置や手入れを簡単に行うことができ、常に清潔を保つことができ、使う人にとって気持ちが良い。
【考案を実施するための最良の形態】
【００１５】
本考案を実施するための最良の形態を図１から図３を参照しつつ説明する。図１は本考案に係る床置きヒータの上面図、図２は図１のＡ−Ａ線断面図、図３は板材の斜視図である。
図１及び図２に示すように、床置きヒータ１０は、台部１２、断熱部１６、発熱部１８、表面板部２０及び枠部４０を有する。
台部１２は、一枚の長方形のベニヤ板からなり、耐水加工を施され、耐水性を有している。
断熱部１６は、一枚の発泡ポリエチレンシートからなり、無数の小さな気泡を有している。断熱部１６の形状は台部１２と同じ長方形であり、断熱部１６は台部１２の上に重ねて張られている。
【００１６】
発熱部１８は、いわゆるＰＴＣ発熱体である。発熱部１８のＰＴＣ発熱体は、導電性粒子を高分子に分散させたインクをポリエチレンテレフタレートフィルムの上にプリントしたものであり、通電することによって発熱可能に構成されている。発熱部１８のＰＴＣ発熱体の形状は、台部１２と同じ長方形であり、断熱部１６の上に重ねて張られている。
表面板部２０は、複数枚の板材２２からなり、発熱部１８の上を覆っている。板材２２は、燻煙処理した木材を成形加工したものである。
【００１７】
図３に示すように、一枚の板材２２は長方形をなしており、その表面２４には多数本の木目２６が走っている。木目２６はいわゆる冬目と呼ばれる硬い部分である。木目２６をなす冬目同士の間に柔らかい木質層が存在している。この木質層がいわゆる夏目２８である。板材２２の表面２４は、ワイヤーブラシにより研削されており、夏目２８が削り落とされ、木目２６が削り落とされずに浮き出て凸設した状態となっている。
【００１８】
板材２２の長手方向に連続する両側面３０Ａ、３０Ｂのうち、一方の側面３０Ａには、凹溝３２が長手方向に連続して形成されている。また、他方の側面３０Ｂには、凸部３４が長手方向に連続して形成されている。凸部３４の形状は凹溝３２に対応した形状となっている。
複数枚の板材２２が、表面２４を上に向けて発熱部１８の上に敷き詰められており、発熱部１８を覆い隠している。隣接する２枚の板材２２にあっては、一方の板材２２の凹溝３２を有する側面３０Ａと、他方の板材２２の凸部３４を有する側面３０Ｂとが、互いに対向し、凹溝３２に凸部３４が嵌合している。発熱部１８の上に敷き詰められた複数枚の板材２２は、互いに継ぎ合わされて、板材２２の表面２４が連続して段差のない一枚の広い面３６を形成している。
【００１９】
台部１２、断熱部１６、発熱部１８及び表面板部２０が、本体３８をなしている。
枠部４０が、本体３８の周囲を取り囲んでいる。枠部４０は、燻煙処理した木材を成形加工したものである。枠部４０は、その内側に本体３８が嵌る長方形の穴４２を有している。
穴４２の内壁面４４の一部が、本体３８の端に位置する板材２２の側面３０Ａと対向している。側面３０Ａと対向する部分の内壁面４４には、凸部３４と同じ形状の凸部が形成されている。この内壁面４４の凸部が、本体３８の端に位置する板材２２の側面３０Ａの凹溝３２に嵌合している。
【００２０】
穴４２の内壁面４４の他の一部が、本体３８の端に位置する板材２２の側面３０Ｂと対向している。側面３０Ｂと対向する部分の内壁面４４には、凹溝３２と同じ形状の凹溝が形成されている。この内壁面４４の凹溝に、本体３８の端に位置する板材２２の側面３０Ｂの凸部が嵌合している。
本体３８のうち、台部１２、断熱部１６及び発熱部１８のそれぞれの縁部分は、枠部４０の裏面４６に重ねてビス止めされている。枠部４０の裏面４６と、台部１２の裏面１４とは、段差のない一枚の広い面を形成しており、この面（すなわち、床置きヒータ１０の裏面）をすべて覆うように一枚の不織布５０が貼り付けられている。不織布５０が緩衝材をなしている。不織布５０として、例えば、ニードルパンチ不織布を用いることができる。
【００２１】
枠部４０の穴４２側の縁の高さは、板材２２の表面２４が連続して形成する面３６の高さと同じである。枠部４０の高さは、穴４２側から外周縁４８側にかけて緩やかに低くなっており、枠部４０の外周縁４８における高さは殆どゼロに近くなっている。
枠部４０の一部には、ソケット５２が形成されている。ソケット５２は発熱部１８につながっており、ソケット５２に挿した電源コード５４を介して発熱部１８に通電可能に構成されている。
【００２２】
次に、作用について説明する。
人が、床置きヒータ１０を住居内の任意の場所に敷く。例えば、床置きヒータ１０をフローリングした台所の床の上に敷くことができる。
床置きヒータ１０の裏面には不織布５０が貼り付けられているので、枠部４０の裏面４６や台部１２の裏面１４が直接フローリングに接触することがなく、床置きヒータ１０の裏面がフローリングを傷つけることを防止できる。また、床置きヒータ１０の上で人が動き、床置きヒータ１０がずれ動くようなことがあったとしても、床置きヒータ１０の裏面がフローリングを傷つけることを防止できる。
【００２３】
また、床置きヒータ１０の台部１２は、耐水性を有するベニヤ板からなるので、水が床にこぼれたりしても、損傷等しにくい。
冬場は、床置きヒータ１０のソケット５２に電源コード５４を挿し、発熱部１８に通電する。発熱部１８のＰＴＣ発熱体は通電されて発熱する。
発熱部１８で生じた熱は、発熱部１８の上に敷き詰められた表面板部２０の板材２２を暖める。発熱部１８の下には断熱部１６が存在しているので、発熱部１８で生じた熱は、断熱部１６には殆ど伝わらず、床置きヒータ１０の裏側から台所の床に逃げてしまう熱量はわずかに抑制される。冬場に床置きヒータ１０の上に立った人は、板材２２の熱を足裏に感じて暖かく、足元の寒さを防止できる。
【００２４】
表面板部２０の板材２２は燻煙処理された木材を成形加工したものなので、充分に乾燥している。したがって、発熱部１８で生じた熱が板材２２に伝わっても、板材２２は変形しにくく、板材２２に反りや割れ等が生じにくい。また、板材２２が縮むことも殆どないので、板材２２同士の間から発熱部１８が見えてしまうことが防止されている。
夏場は、床置きヒータ１０のソケット５２に電源コード５４を抜いておく。木材の熱容量は大きいので、夏場であっても表面板部２０の板材２２の肌触りは冷やりとしたものになる。このため、夏場に床置きヒータ１０の上に立った人は、足元が涼しい。すなわち、冬場以外の季節でも、床置きヒータ１０を敷物として使用することができる。
なお、ソケット５２から抜いた電源コード５４は邪魔にならないところにしまっておけばよい。
【００２５】
表面板部２０の板材２２の表面２４は木目２６が凸設した状態となっているので、床置きヒータ１０の上に立った人の足裏が板材２２の表面２４に密着せず、両者の間には隙間が形成され、通気性が確保される。これにより、足裏の蒸れがなくなり、床置きヒータ１０の上に立った人は、肌のべたつきを感じることがない。
また、板材２２の表面２４の木目２６が、足裏を適度に刺激するので、足裏をマッサージしたのと同様の効果が得られる。
表面板部２０の板材２２からは木の香りがする。特に、板材２２が発熱部１８の熱によって暖められると、木の香りが強く立ち上る。この香りによって、床置きヒータ１０を敷いた場所の消臭が可能となる。
【００２６】
床置きヒータ１０の表面側に露出しているのは、表面板部２０の板材２２と枠部４０であり、これらは燻煙処理された木材を成形加工したものである。したがって、表面を雑巾で拭く等すれば簡単に汚れが落ち、塵等も溜まりにくい。このため、雑菌等が繁殖しにくくなり、常に衛生的である。
床置きヒータ１０は床の上に敷いてあるだけなので、簡単に動かすことができる。床置きヒータ１０が床掃除の邪魔になることはない。
床置きヒータ１０の表面板部２０には、段差のない一枚の広い面３６が形成されており、枠部４０の穴４２側の縁は面３６と同じ高さである。また、枠部４０の穴４２側の縁から外周縁４８側にかけて緩やかに低くなっている。これにより、人が床置きヒータ１０につまずいたりすることを防止できる。
【図面の簡単な説明】
【００２７】
【図１】本考案に係る床ヒータの上面図である。
【図２】図１のＡ−Ａ線断面図である。
【図３】板材の斜視図である。
【符号の説明】
【００２８】
１０    床置きヒータ
１２    台部
１４    台部の裏面
１６    断熱部
１８    発熱部
２０    表面板部  ２２    板材
２４    板材の表面
２６    木目
２８    夏目
３０Ａ、３０Ｂ    板材の側面
３２    凹溝  ３４    凸部
３６    面
３８    本体
４０    枠部  ４２    枠部の穴
４４    枠部の穴の内壁面
４６    枠部の裏面
４８    枠部の外周縁
５０    不織布
５２    ソケット
５４    電源コード
【図１】
0003131277.tif 000003
【図２】
0003131277.tif 000004
【図３】
0003131277.tif 000005